(57)【要約】【課題】簡単な構成で記録媒体の斜行を防止可能な記録装置を提供する。【解決手段】記録装置１は、用紙Ｐの表面に記録を行い、湾曲した外周面５５に沿って用紙Ｐを搬送した後、用紙Ｐの裏面に記録を行う。外周面５５は用紙Ｐの幅に応じた所定の幅にわたって形成されている。さらに、記録装置１は、外周面５５に沿って搬送される用紙Ｐの幅方向にある２つの辺を規制する壁面５６を有する。【選択図】図５
2013049148.tif 000002
【特許請求の範囲】
【請求項１】
記録部に対向する記録媒体の記録面に記録を行い、湾曲した搬送路に前記記録媒体を通過させることによって、前記記録媒体の記録面を反転可能な記録装置であって、
前記記録媒体の幅に応じた所定の幅にわたって形成され、前記搬送路を通過する際に前記記録媒体の幅方向にある２つ辺を規制するガイド部を有する記録装置。
【請求項２】
前記ガイド部は、前記搬送路の外周面が前記所定の幅にわたって窪まされた構成を有している、請求項１に記載の記録装置。
【請求項３】
前記所定の幅がそれぞれ異なる複数の前記ガイド部を有している、請求項１または２に記載の記録装置。
【請求項４】
前記ガイド部の、前記記録媒体の進入口は、前記所定の幅より広く形成されている、請求項１から３のいずれか１項に記載の記録装置。
【発明の詳細な説明】
【技術分野】
【０００１】
本発明は、記録媒体の両面に記録を行う記録装置に関する。
【背景技術】
【０００２】
記録媒体の両面に記録を行うことが可能な一般的な記録装置では、記録を行う記録面を表側の面から裏側の面に変更する際に、記録媒体の先端の辺が搬送方向に対して斜め向きになることがある。この場合、先端の辺が搬送方向に対して斜め向きのまま記録媒体が搬送される斜行（スキュー）が発生する。
【０００３】
特許文献１には、記録媒体の記録面を表側の面から裏側の面に変更した後の、記録媒体の斜行を防止するために、可動式のジョガーフェンスが設けられた記録装置が開示されている。
【０００４】
このジョガーフェンスは、記録媒体の記録面を表側の面から裏側の面に変更する際に、記録媒体の幅方向にある２つの辺に当接するように動作する。これにより、記録媒体は、先端の辺が搬送方向に向けられる。その後、ジョガーフェンスが記録媒体から離間するとともに記録媒体が搬送され、記録媒体の裏側の面に記録が行われる。
【０００５】
以上述べたように、この記録装置では、ジョガーフェンスを設けることにより、記録媒体の記録面が表側の面から裏側の面に変更される際に発生する斜行を防止することができる。
【先行技術文献】
【特許文献】
【０００６】
【特許文献１】特開平９−９６９２８号公報
【発明の概要】
【発明が解決しようとする課題】
【０００７】
特許文献１に開示された記録装置では、ジョガーフェンスを動作させるための動作機構や、ジョガーフェンスの動作を制御する制御機構などを設ける必要がある。これにより、記録装置の、構成の複雑化や、製造コストの増大が発生する。
【０００８】
そこで本発明は、簡単な構成で記録媒体の斜行を防止可能な記録装置を提供することを目的とする。
【課題を解決するための手段】
【０００９】
上記目的を達成するため、本発明の記録装置は、記録部に対向する記録媒体の記録面に記録を行い、湾曲した搬送路に前記記録媒体を通過させることによって、前記記録媒体の記録面を反転可能な記録装置であって、前記記録媒体の幅に応じた所定の幅にわたって形成され、前記搬送路を通過する際に前記記録媒体の幅方向にある２つの辺を規制するガイド部を有する。
【発明の効果】
【００１０】
本発明によれば、簡単な構成で記録媒体の斜行を防止可能な記録装置を提供することができる。
【図面の簡単な説明】
【００１１】
【図１】本発明の第１の実施形態に係る記録装置の側断面図である。
【図２】図１に示した用紙反転部を示した図である。
【図３】図２に示した用紙反転部を矢印Ｌ方向から見た状態を示した図である。
【図４】図３に示した用紙反転部のＡ−Ａ線に沿った断面図である。
【図５】図３に示した用紙反転部のＢ−Ｂ線に沿った断面図である。
【図６】本発明の第２の実施形態に係る記録装置の用紙反転部を示した図である。
【図７】図６に示した用紙反転部のＣ−Ｃ線に沿った断面図である。
【発明を実施するための形態】
【００１２】
次に、本発明の実施形態について図面を参照して説明する。
（第１の実施形態）
図１は、本発明の第１の実施形態に係る記録装置１の側断面図である。記録装置１は、自動で用紙などの記録媒体の両面に記録を行えるように構成されている。本実施形態では、記録媒体として長方形状や正方形状の用紙Ｐを用いる。また、用紙Ｐの幅（搬送方向に直交する方向の長さ）をＷとする。本実施形態では、用紙Ｐとしてはがきサイズ（１００ｍｍ×１４８ｍｍ）の用紙を用い、長辺が搬送方向の先端となるように搬送している。したがって、Ｗの大きさは１４８ｍｍである。
【００１３】
記録装置１には、記録前の用紙を積載するための用紙積載部６を下部に備え、該用紙積載部６に載置された用紙Ｐの両面に記録を行うために、用紙搬送記録部３、用紙給送部４および用紙反転部５が設けられている。
【００１４】
まず、記録前の用紙Ｐは、用紙積載部６から用紙給送部４において用紙反転部外側ガイド４１によって矢印方向に搬送路Ａへ送り込まれる。搬送路Ａに送り込まれた用紙Ｐは、用紙反転部外側ガイド４１によって反転させられ、搬送路Ｂに送り込まれる。搬送路Ｂに送り込まれた用紙Ｐは、矢印方向に搬送され、用紙搬送記録部３に送り込まれる。
【００１５】
用紙搬送記録部３には記録部であるインクジェットヘッド２が搭載されている。用紙搬送記録部３に送り込まれた用紙Ｐの、インクジェットヘッド２に対向する記録面である面Ｆ１には、インクジェットヘッド２によって画像が記録される。ここで、インクジェットヘッド２に記録される用紙Ｐの面Ｆ１を表側とする。面Ｆ１に記録された用紙Ｐは、用紙給送部４の搬送路Ｂを矢印方向とは反対方向に逆搬送され、用紙反転部５に送り込まれる。
【００１６】
用紙反転部５に送り込まれた用紙Ｐは、搬送路Ｃを矢印方向に搬送され、用紙反転部内側ガイド５１と用紙反転部外側ガイド５２との間の湾曲状態の搬送路を通過する。これにより、用紙Ｐが搬送路Ｄに送り込まれ、矢印方向に搬送される。このとき、搬送路Ｃを搬送されているときに面Ｆ１が上側を向いていた用紙Ｐが、搬送路Ｄを通過するとともに面Ｆ１の裏側の面Ｆ２が上側を向く。
【００１７】
このように、用紙Ｐは、用紙反転部内側ガイド５１と用紙反転部外側ガイド５２との間の搬送路Ｄを通過することにより表側の面Ｐ１と裏側の面Ｐ２とが反転する。搬送路Ｄを通過した用紙Ｐは、再び搬送路Ｂを矢印方向に搬送され、用紙搬送記録部３に送り込まれる。そして、用紙搬送記録部３に送り込まれた用紙Ｐの、インクジェットヘッド２に対向する記録面である面Ｆ２に、インクジェットヘッド２によって画像が記録される。
【００１８】
このように、用紙Ｐの表側の面Ｆ１と裏側の面Ｆ２との両面に画像が記録される。両面に画像が記録された用紙Ｐは用紙搬送記録部３から排出され、記録装置１による記録動作が完了する。
【００１９】
図２は図１に示した用紙反転部５の側面図であり、図３は図２のＡ−Ａ線に沿った断面図であり、図４は図３のＢ−Ｂ線に沿った断面図である。図２〜４では、用紙反転部外側ガイド５２の詳細な構成を示すために、用紙反転部内側ガイド５１を省略している。
【００２０】
上述したとおり、用紙反転部５は、用紙搬送記録部３におけるインクジェットヘッド２に対向する用紙Ｐの面を、表側の面Ｐ１から裏側の面Ｐ２に反転可能である。用紙反転部５を通過した用紙Ｐは、用紙搬送記録部３に搬送され、インクジェットヘッド２によって裏側の面Ｆ２に記録がなされる。
【００２１】
しかし、用紙Ｐを反転する際に、用紙Ｐの先端の辺が搬送方向に対して斜め向きになることがある。この場合、先端の辺が搬送方向に対して斜め向きのまま記録媒体が搬送される斜行が発生する。用紙Ｐを反転する際に、用紙Ｐに斜行が発生すると、用紙Ｐの裏側の面Ｆ２における記録がなされる位置がずれる。
【００２２】
本実施形態に係る用紙反転部５は、用紙Ｐを反転する際に、用紙Ｐの斜行を防止可能なように構成されている。以下、記録装置１の当該構成について詳細に説明する。
【００２３】
用紙反転部５に送り込まれた用紙Ｐは、図１に示すように、用紙反転部内側ガイド５１と用紙反転部外側ガイド５２との間の湾曲した搬送路Ｄに入り込む。そして、用紙Ｐは、湾曲させられながら、用紙反転部内側ガイド５１と用紙反転部外側ガイド５２との間を通過する。
【００２４】
図２〜４に示すように、用紙反転部外側ガイド５２と用紙反転部外側ガイド５２との間には、用紙Ｐの搬送方向に回転する用紙反転部搬送ローラ対５３が設けられている。用紙Ｐは、用紙反転部搬送ローラ対５３に挟持されながら、用紙反転部内側ガイド５１と用紙反転部外側ガイド５２との間を通過する。
【００２５】
ここで、用紙Ｐは、用紙反転部５に送り込まれて湾曲させられる際、たとえば図４の矢印Ｙに示される方向に、湾曲した搬送路Ｄの外周面である用紙反転部外側ガイド５２に押圧力を付与する。これは、用紙Ｐが、力を加えられていない状態では平らであり、湾曲させられると平らに戻るための回復力が働くためである。
【００２６】
用紙反転部外側ガイド５２は、第１の外周面５４と、該第１の外周面５４の中央領域に設けられた第２の外周面５５と、の２段に構成されている。第２の外周面５５は第１の外周面５４に対して窪んでおり、２つの外周面５４，５５の境界には、外周面５４，５５に直交する壁面５６がそれぞれ形成されている。
【００２７】
本実施形態では、外周面５５の幅Ｗ１、すなわち２つの壁面５６間の距離は、用紙Ｐの幅Ｗよりやや大きい。本実施形態では、Ｗ１の大きさを１５０ｍｍとした。ただし、外周面５５における用紙Ｐの進入口付近では、該進入口に向けて外周面５５の幅が広くなるように壁面５７がテーパ状に形成されている。外周面５５の用紙Ｐの進入口の幅、すなわち２つの壁面５７の距離の最大値は、Ｗ１より大きいＷ２である。本実施形態では、Ｗ２の大きさを１５５ｍｍとした。
【００２８】
したがって、幅がＷである用紙は、表側の面Ｐ１が外周面５５に付勢されるとともに搬送され、２つの壁面５７の間を通って、幅がＷ１である２つの壁面５６間に挟まれる。このとき、用紙Ｐの幅方向にある２つの辺がともに２つの壁面５６に規制され、用紙Ｐの先端の辺が搬送方向に向く。このように、外周面５５および壁面５６は、用紙Ｐの先端の辺を搬送方向に向けるガイド部として機能する。
【００２９】
また、図５に一点鎖線で示すように、用紙Ｐの先端の辺が搬送方向に対して斜め向きに外周面５５に進入する場合にも、用紙Ｐの先端は、壁面５７間を通過することにより、壁面５６間に案内される。壁面５６間に案内された用紙Ｐの先端の辺は搬送方向を向く。このように、用紙Ｐは、搬送方向に対して斜め向きに外周面５５に進入する場合にも、斜行することなく先端の辺が搬送方向に向けられて搬送される。
【００３０】
このように、本実施形態に係る記録装置では、用紙Ｐが表側の面から裏側の面に変更された際に斜行が発生することを防止できる。
【００３１】
なお、本実施形態に係る用紙反転部５では、２つの壁面５６が平行で、２つの壁面５７がテーパ状である構成とした。しかし、用紙反転部５は、外周面５５の幅が最終的にＷ１となる構成であれば、同様の効果が得られる。たとえば、用紙反転部５は、外周面５５の幅がＷ２からＷ１に直線的に狭くなるテーパ状の壁面のみによって構成されていてもよい。
【００３２】
また、本実施形態では、壁面５６が外周面５４，５５に直交するように形成されているが、壁面５６の構成はこれに限らない。壁面５６は、外周面５４，５５に対して交差するような角度で、外周面５４，５５に接続されていればよい。
【００３３】
また、使用する用紙のサイズに応じて、Ｗ２を所定の値に決定することが可能である。さらに、使用する用紙のサイズが等しい場合にも、用紙の種類等に応じて、Ｗ２の値を適宜決定することが可能である。
（第２の実施形態）
本発明の第２の実施形態に係る記録装置は、第１の実施形態に係る記録装置と、用紙反転部のみが異なる。図６および図７は、第１の実施形態に係る記録装置の図３および図４に対応する。図７は図６のＣ−Ｃ線に沿った断面図である。
【００３４】
本実施形態では、用紙としてＬ版サイズ（８９ｍｍ×１２７ｍｍ）、はがきサイズ（１００ｍｍ×１４８ｍｍ）、２Ｌ版サイズ（１２７ｍｍ×１８０ｍｍ）の用紙を用い、いずれの用紙でも短辺が搬送方向の先端となるように搬送した。
【００３５】
本実施形態に係る用紙反転部外側ガイド４１は、４つの外周面４２，４３，４４，４５により４段に構成されている。図６に示すように、外周面４５は外周面４２の中央領域にあり、外周面４４は外周面４５の幅方向にある両端に隣接し、外周面４３は外周面４４の幅方向にある両端に隣接している。
【００３６】
外周面４５の幅はＷ３であり、外周面４４の幅はＷ４であり、外周面４５の幅はＷ５である。Ｗ３，Ｗ４，Ｗ５は、Ｗ３＜Ｗ４＜Ｗ５の関係を満たしている。また、図７に示すように、外周面４３、外周面４４、外周面４５は外周面４２に対する段差が段階的に大きくなっている。したがって、用紙反転部外側ガイド４１の用紙が摺動する外周面は、中央ほど大きく窪んだ形状である。
【００３７】
本実施形態では、外周面４３，４４，４５の幅Ｗ３，Ｗ４，Ｗ５が、用紙の幅よりやや大きい。外周面４５はＬ版サイズの用紙に対応し、外周面４４ははがきサイズの用紙に対応し、外周面４３は２Ｌ版サイズの用紙に対応する。そのため、本実施形態では、Ｗ３の大きさを９１ｍｍとし、Ｗ４の大きさを１０２ｍｍとし、Ｗ５の大きさを１２９ｍｍとした。
【００３８】
Ｌ版サイズの用紙は、外周面４５に付勢されるとともに搬送され、外周面４４，４５の段差によって生じる２つの壁面によって、幅方向にある２つの辺が規制される。これにより、Ｌ版サイズの用紙の先端の辺が搬送方向に向く。このように、外周面４５および用紙を挟む２つの壁面は、Ｌ版サイズの用紙の先端の辺を搬送方向に向けるガイド部として機能する。
【００３９】
また、はがきサイズの用紙は、外周面４４に付勢されるとともに搬送され、外周面４３，４４の段差によって生じる２つの壁面によって、幅方向にある２つの辺が規制される。これにより、はがきサイズの用紙の先端の辺が搬送方向に向く。このように、外周面４４および用紙を挟む２つの壁面は、はがきサイズの用紙の先端の辺を搬送方向に向けるガイド部として機能する。
【００４０】
また、２Ｌ版サイズの用紙は、外周面４３に付勢されるとともに搬送され、外周面４２と外周面４３との段差によって生じる２つの壁面によって、幅方向にある２つの辺が規制される。これにより、２Ｌ版サイズの用紙の先端の辺が搬送方向に向く。このように、外周面４３および用紙を挟む２つの壁面は、２Ｌ版サイズの用紙の先端の辺を搬送方向に向けるガイド部として機能する。
【００４１】
このように、本実施形態に係る記録装置では、複数の種類の用紙を用いた場合にも、用紙が表側の面から裏側の面に変更された際に斜行が発生することを防止できる。
【符号の説明】
【００４２】
１      記録装置
５      用紙反転部
５１    用紙反転部内側ガイド
５２    用紙反転部外側ガイド
５４，５５      外周面
５６    壁面
【図１】
2013049148.tif 000003
【図２】
2013049148.tif 000004
【図３】
2013049148.tif 000005
【図４】
2013049148.tif 000006
【図５】
2013049148.tif 000007
【図６】
2013049148.tif 000008
【図７】
2013049148.tif 000009